(57)【要約】【課題】機械強度および耐久性に優れ、しかも小型化を図ることができる眼鏡フレームにおけるリムロック機構を提供する。【解決手段】リムロックの上部材１１ａと下部材１１ｂに、上側リム１ａと下側リム１ｂとの接合部２ａ，２ｂの接合面に対して略平行に延在するように、固定用ねじ４が螺入するねじ孔１５を設ける。さらに、リムロックの上部材１１ａと下部材１１ｂにおいて、上部材１１ａに下方が開口する側面視略矩形状の受け溝１３を形成し、下部材１１ｂには上方に突出して前記受け溝１３に嵌着する側面視略矩形の突起部１４を形成する。【選択図】    図２
2004272176.tif 000002
【特許請求の範囲】
【請求項１】
フロントフレームにおける両リムのそれぞれに該リムの一部を分割するように上下設けられ、かつレンズの装着時に固定用ねじによって締結されるリムロックを備えた眼鏡フレームにおけるリムロック機構において、
前記リムにおける上側部材と下側部材との接合面に対して略平行に、前記リムロックにおける上部材と下部材とにねじ孔を設け、前記固定用ねじを前記ねじ孔に螺入して前記リムロックを螺合することを特徴とする眼鏡フレームにおけるリムロック機構。
【請求項２】
前記リムロックにおける上部材と下部材とのいずれか一方に側面視略矩形の受け溝を設け、他方に前記受け溝に嵌着する側面視略矩形の突起部を設けたことを特徴とする請求項１記載の眼鏡フレームにおけるリムロック機構。
【請求項３】
前記リムロックにおける上部材と下部材間に弾性パッキングを着脱可能に装着することを特徴とする請求項１または２記載の眼鏡フレームにおけるリムロック機構。
【発明の詳細な説明】
【０００１】
【発明の属する技術分野】
本発明は、眼鏡フレームのフロントフレームにおけるリムの分割部分に設けられ、レンズをリムに装着するときに開かれ、レンズの装着後に固定用ねじによって締結される眼鏡フレームにおけるリムロック機構に関するものである。
【０００２】
【従来の技術】
従来、特許文献１〜３に記載されているように、フロントフレームが一対のリムから構成されているものでは、レンズを装着，保持するためのリムロック機構が設けられている。
【０００３】
従来の一般的なリムロック機構の構成を図４，図５を参照して説明する。
図４は従来のリムロック機構部分を示す分解図、図５は図４の矢印Ａ方向からリムロック機構を見た図であり、フロントフレームにおけるリム１は上側リム１ａと下側リム１ｂとに分離しており、上側リム１ａと下側リム１ｂとの相対向する接合部２ａ，２ｂに、リムロック３を構成する上部材３ａと下部材３ｂとがそれぞれ設けられている。
【０００４】
前記リムロック３の上部材３ａと下部材３ｂには、上側リム１ａと下側リム１ｂとの接合部２ａ，２ｂの接合面に対して直交する方向（図における上下方向）に、固定用ねじ４が螺入するねじ孔５ａ，５ｂがそれぞれ設けられている。また、上側リム１ａと下側リム１ｂとの接合部２ａ，２ｂの接合面から、リムロック３の上部材３ａと下部材３ｂとの接合面６ａ，６ｂまでに、図５に示すように、一方が山形状に、また他方が谷形状になる、いわゆるＶカット加工が施されている。
【０００５】
前記構成のリムロック機構においては、レンズ装着時、リム１の内形状に外形状が一致するように成形されたレンズを当該リム１に装着し、この状態でリムロック３の上部材３ａと下部材３ｂとに固定用ねじ４を螺入して上部材３ａと下部材３ｂとを締結し、リム１を閉鎖状態に維持することによってレンズを保持する。
【特許文献１】
実開平７−５１２１号公報
【特許文献２】
特開平９−５６７８号公報
【特許公報３】
特開平１０−６２７２６号公報
【０００６】
【発明が解決しようとする課題】
前記従来のリムロック機構では、図４，図５に示すように、固定用ねじ４の回転方向と、リム１とリムロック３における接合面２ａ，２ｂおよび接合面６ａ，６ｂの摺動方向と同じであるため、リム１の振動によってねじ緩みが生じやすく、そのため従来では、固定用ねじ４のねじ山数を多くすることで対処していた。そして、これに応じて機械的強度を確保するためリムロック３の全体形状を大きくする必要があった。
【０００７】
また、従来のリムロック機構では、リムロック３における接合面６ａ，６ｂにＶカット加工が施されているが、接合面６ａ，６ｂが傾斜面で接合しているため、リムロック３が前後左右にずれる可能性があり、特にレンズ装着時におけるずれの発生はレンズを歪ませる不良原因となる。
【０００８】
また、従来のリムロック機構では、レンズの外形状がリム１の内形状より大きめに成形されたときには、リムロック３に対する固定用ねじ４による締結作業時に、リムロック３に大きな剪断力が加わる。このためリムロック３が固定されるリム１の固定部分におけるロウ付け面積を大きくすることにより、ロウ剥がれを防止しており、この結果、リムロック３部分が大きくなるという課題があった。
【０００９】
そこで本発明は、前記従来の諸課題を解決し、機械強度および耐久性に優れ、しかも小型化を図ることができる眼鏡フレームにおけるリムロック機構を提供することを目的とする。
【００１０】
【課題を解決するための手段】
本発明は、フロントフレームにおける両リムのそれぞれに該リムの一部を分割するように上下設けられ、かつレンズの装着時に固定用ねじによって締結されるリムロックを備えた眼鏡フレームにおけるリムロック機構において、前記リムにおける上側部材と下側部材との接合面に対して略平行に、前記リムロックにおける上部材と下部材とにねじ孔を設け、前記固定用ねじを前記ねじ孔に螺入して前記リムロックを螺合することを特徴とするものであり、固定用ねじの螺入時における回転方向と、リムの接合面における摺動方向とが直交する構造になるため、リムの振動により摺動しようとする力が固定用ねじの回転、すなわち、ねじ緩みに直接影響しにくい構造になり、従来のようにねじ山数を多くしたり、リムロックを大きくする必要がなくなり、リムロックの小型化を図ることができる。
【００１１】
また、前記リムロックにおける上部材と下部材とのいずれか一方に略矩形の受け溝を設け、他方に前記受け溝に嵌着する略矩形の突起部を設けたことによって、従来のＶカット形状に比べて大幅にリムロックにおける固定が安定し、レンズの保持が安定する。
【００１２】
また、前記リムロックにおける上部材と下部材間に弾性パッキングを着脱可能に装着することによって、リムに対して大きめのレンズが装着されるような場合に弾性パッキングの可撓範囲において調整されるため、リムおよびリムロックに無理な締め付け力が加わらないようにすることができ、さらにリムロックの小型化を図ることができ、しかも、弾性パッキングがレンズに対する緩衝作用を果たす。
【００１３】
【発明の実施の形態】
以下、本発明の実施の形態を図面を参照して説明する。
【００１４】
図１は本発明の実施形態を説明するための眼鏡フレームにおけるリムロック機構の組み付け状態を示す正面図、図２は図１のリムロック機構の側面状態における分解図、図３は図１のリムロック機構の正面状態における組み付けの説明図である。なお、図４，図５にて説明した部材に対応する部材には同一符号を付して詳しい説明は省略する。
【００１５】
図１〜図３において、フロントフレームにおけるリム１は上側リム１ａと下側リム１ｂとに分離しており、上側リム１ａと下側リム１ｂとにおける相対向する平坦面を呈する接合部２ａ，２ｂの側部に、リムロック１１を構成する上部材１１ａと下部材１１ｂとがそれぞれ設けられている。上部材１１ａと下部材１１ｂとは、智１２の延出方向と同方向に突出するように、上側リム１ａと下側リム１ｂに、それぞれロウ付けなどにより固定されている。
【００１６】
前記リムロック１１の上部材１１ａには、下方が開口する側面視略矩形状の受け溝１３が形成され、リムロック１１の下部材１１ｂには、上方に突出して前記受け溝１３に嵌着する側面視略矩形の突起部１４が形成されている。
【００１７】
さらに、前記リムロック１１の上部材１１ａと下部材１１ｂの突起部１４には、上側リム１ａと下側リム１ｂとの接合部２ａ，２ｂにおける接合面に対して略平行に延在するように、固定用ねじ４の螺入するねじ孔１５が設けられている。そして、上部材１１ａの受け溝１３の両側における腕部１６ａ，１６ｂの一方（本例では腕部１６ａ）のねじ孔１５に雌ねじが切られ、他方の腕部１６ｂと突起部１４とのねじ孔１５は、固定用ねじ４が通る挿入孔になっている。
【００１８】
なお、図２，図３において、１７は、環状をなし、かつリムロック１１の下部材１１ｂにおける突起部１４のねじ孔１５に着脱可能に装着され、側端面が上部材１１ａの両腕部１６ａ，１６ｂにおける内壁面に弾接する環状の弾性パッキングである。
【００１９】
本実施形態のリムロック機構においては、レンズ装着時、リム１の内形状に外形状が一致するように成形されたレンズを当該リム１に装着し、受け溝１３に略矩形の突起部１４が嵌着するようにリムロック１１の上部材１１ａと、弾性パッキング１７を装着した下部材１１ｂとを組み付け、この状態を維持しながら固定用ねじ４を側部から螺入して、上部材１１ａと下部材１１ｂとを締結し、リム１を閉鎖することによってレンズを保持する。
【００２０】
したがって、本実施形態では、固定用ねじ４の回転方向とリム１の接合部２ａ，２ｂの摺動方向とが直交する構造であるため、リム１における振動により摺動しようとする力が固定用ねじ４の回転、すなわちねじ緩みに直接影響しにくい構造になり、ねじの緩みを防ぐために従来のように固定用４ねじのねじ山数を多くしたり、これに対応してリムロック１１を大きくする必要がなくなり、よって、リムロック１１の小型化を図ることができる。
【００２１】
また、本実施形態では、リムロック１１における上部材１１ａの側面視略矩形状の受け溝１３に、下部材１１ｂの側面視略矩形の突起部１４が嵌合してねじ止めされるため、リムロック１１における上部材１１ａと下部材１１ｂとのずれの発生を抑えることができ、装着されたレンズに歪を発生させず、長期にわたって快適な視力が確保できることになる。
【００２２】
また、本実施形態では、リムロック１１における上部材１１ａと下部材１１ｂとの嵌着部分に弾性パッキング１７が存在するため、リム１に対して大きめのレンズが装着されるような場合であっても、弾性パッキング１７の可撓範囲において調整され、あるいは弾性パッキング１７を取り外すことで調整可能であるため、弾性パッキング１７が、レンズの寸法調整機能を有し、さらにレンズを衝撃から保護するショックアブソーバーとして機能する。
【００２３】
しかも、上述した構造上の特徴と弾性パッキング１７の存在により、リム１およびリムロック１１に無理な締め付け力と剪断力とが加わらない構成となるため、従来に比べてロウ付け面積が小さくてよくなり、リムロック１１の小型化を図ることができる。さらに、前記のように従来と比較して固定用ねじ４のねじ山数を多くする必要がなく、例えばＭ１．２程度の細いねじを使用しても、ねじ折れあるいはねじの緩みのおそれがない。
【００２４】
このように、本実施形態のリムロックは、従来のものに比べて小型でありながら同等の機械強度を得られるため、特に、小型のリムロックとして女性用眼鏡フレームなどのように細くかつ小さなものに適用され、これまでにないデザイン展開が考えられるようになる。
【００２５】
なお、本発明の構成として、本実施形態において図示，説明した部材形状などに限定されるものではない。
【００２６】
【発明の効果】
以上説明したように、本発明によれば、固定用ねじの螺入時における回転方向と、リムの接合面における摺動方向とが直交する構造になるため、リムの振動により摺動しようとする力が固定用ねじの回転、すなわち、ねじ緩みに直接影響しにくい構造になり、従来のようにねじ山数を多くしたり、リムロックを大きくする必要がなくなり、リムロックの小型化を図ることができる眼鏡フレームのリムロック機構を提供することができる。
【図面の簡単な説明】
【図１】本発明の実施形態を説明するための眼鏡フレームにおけるリムロック機構の組み付け状態を示す正面図
【図２】図１のリムロック機構の側面状態における分解図
【図３】図１のリムロック機構の正面状態における組み付けの説明図
【図４】従来のリムロック機構部分を示す分解図
【図５】図４の矢印Ａ方向からリムロック機構を見た図
【符号の説明】
１  リム
１ａ  上側リム
１ｂ  下側リム
２ａ，２ｂ  接合部
１１  リムロック
１１ａ  上部材
１１ｂ  下部材
１２  智
１３  受け溝
１４  突起部
１５  ねじ孔
１７  弾性パッキング
【図１】
2004272176.tif 000003
【図２】
2004272176.tif 000004
【図３】
2004272176.tif 000005
【図４】
2004272176.tif 000006
【図５】
2004272176.tif 000007